(57)【要約】【課題】各部品の配置および形状を変更することで騒音発生を防止し、さらに現場の状況に合わせて、騒音発生源の配置の変更を可能とすることを目的としている。【解決手段】凝縮器２の通風方向からみた１次側には第１通風路７を設け、２次側には第２通風路８が配置され、第１通風路７内部には第１遮蔽板９、第２遮蔽板１０、第２通風路８内部には第３遮蔽板２３、第４遮蔽板２４を、通風方向がＳ字となるように天面と底面側に設けており、室外送風機６は第２遮蔽板１０と凝縮器２の間または第４遮蔽板２４と凝縮器２に配置されている。このようは構成にすることにより、室外送風機６で発生した騒音が第１遮蔽板９、第２遮蔽板１０および第３遮蔽板２３、第４遮蔽板２４に遮られることにより外部への騒音放出を防止する発熱体収納箱冷却装置を得ることができる。【選択図】図１
2012230940.tif 000002
【特許請求の範囲】
【請求項１】
発熱体収納箱の天面を仕切り板として、
この仕切り板の上側に板状の凝縮器を設け、
前記仕切り板の下側に板状の蒸発器を設け、
凝縮器と蒸発器は、冷媒液管と蒸発管とで接続して冷媒サイクルを構成し、
凝縮器の前または後ろには送風機を設け、
凝縮器の上流側に形成される第１通風路と凝縮器の下流側に形成される第２通風路には、それぞれの通風路が上下に蛇行するＳ字状となるように複数の遮蔽板を設けた発熱体収納箱冷却装置。
【請求項２】
前記第１通風路および第２通風路内部壁面に消音材を貼り付けた請求項１記載の発熱体収納箱冷却装置。
【請求項３】
前記第１通風路および第２通風路が脱着可能な請求項１および２記載の発熱体収納箱冷却装置。
【請求項４】
前記第１通風路および第２通風路内部に設けた複数の遮蔽板が脱着可能な請求項１〜３記載の発熱体収納箱冷却装置。
【請求項５】
前記第１通風路および第２通風路の風路曲がり部の角部に角部を塞ぐように配置したガイド板を設けた請求項１〜４記載の発熱体収納箱冷却装置。
【請求項６】
前記第１通風路および第２通風路の前記仕切り板の上方に位置する底部に排水穴および排水経路を設けた、請求項１〜５記載の発熱体収納箱冷却装置。
【請求項７】
前記第１通風路および第２通風路において、遮蔽板の端部を接続するように通風部に水きりフィルターを少なくとも流入側に設けた請求項１〜６記載の発熱体収納箱冷却装置。
【請求項８】
機能動作部収納室と冷却部収納室を有する本体ケースと、この本体ケース内の前記機能動作部収納室内に収納された機能動作部、および室内送風機と、前記本体ケース内の前記冷却部収納室内に収納された室外送風機とを備え、前記冷却部収納室内に請求項１から７のいずれか一つに記載の冷却装置を配置した電子機器。
【発明の詳細な説明】
【技術分野】
【０００１】
本発明は、高温媒体の熱で冷媒を沸騰蒸発させ、その後、凝縮液化させることで、高温媒体の熱を放熱させる発熱体収納箱冷却装置に関する。
【背景技術】
【０００２】
この種の発熱体収納箱冷却装置は、携帯電話の基地局のような内部に発熱を伴う電子部品等を備える密閉された収納箱内の冷却に用いられる。
【０００３】
近年、電子部品の高性能化と制御基板に対する電子部品の高密度化が進み、制御基板からの発熱量は飛躍的に増加しているとともに、電子部品等の収納箱の小型化も進み、冷却機器の高性能化および小型化と、電子部品等の収納箱の側面または天面のいずれにも設置できるレイアウトの自由度の向上が求められている。このため、構成部品が少なく、熱移動量が大きい冷却方式として、ヒートパイプを用いた冷却方法が知られている（例えば、特許文献１）。
【０００４】
しかしながらヒートパイプは、沸騰蒸発して上昇する冷媒蒸気と凝縮液化されて降下する冷媒液が同じ管内を移動するため、互いに対抗しあって冷媒循環の効率が悪くなり熱交換効率が悪いという問題がある。そこで、冷媒が沸騰蒸発する蒸発器と冷媒が凝縮液化する凝縮器とを分けて、蒸発器にて沸騰蒸発した冷媒が凝縮器へと移動するために蒸発器と凝縮器を連通させる冷媒蒸気管と、凝縮器にて凝縮液化した冷媒が蒸発器へと移動するために凝縮器と蒸発器を連通させる冷媒液管により冷媒回路を形成して冷媒を循環させることで効率良く放熱させることができる沸騰冷却装置が知られている（例えば、特許文献２）。
【０００５】
以下、従来の沸騰冷却装置について、図１１を参照しながら説明する。
【０００６】
図１１に示すように、沸騰冷却装置１０１は、高温空気１０２が通風する高温部分１０３が下部になるように、また、低温空気１０４が通風する低温部分１０５が上部になるように仕切板１０６により仕切られた本体箱１０７内に設けられる。高温部分１０３には、内部に冷媒１０８が封入された蒸発器１０９が配置されている。蒸発器１０９は、高温空気１０２から受熱し、内部で冷媒１０８が沸騰蒸発する。低温部分１０５には、蒸発器１０９と連通した凝縮器１１０が配置されている。凝縮器１１０では、蒸発器１０９で沸騰蒸発した冷媒１０８が低温空気１０４へと放熱を行い凝縮液化する。蒸発器１０９と凝縮器１１０は、仕切板１０６を貫通した冷媒蒸気管１１１および冷媒液管１１２で連通している。また、高温部分１０３に高温空気１０２を送風する室内側送風機１１３と、低温部分１０５に低温空気１０４を送風する室外側送風機１１４を備えている。このような構成によれば、蒸発器１０９において沸騰蒸発した冷媒１０８が密度差により蒸発器１０９から凝縮器１１０へと冷媒蒸気管１１１を流通して移動し、凝縮器１１０において凝縮液化した冷媒１０８が密度差により凝縮器１１０から蒸発器１０９へと冷媒液管１１２を流通して移動する。このようにして、冷媒１０８が自然に循環し、高温空気１０２の熱を低温空気１０４へと放熱させている。
【先行技術文献】
【特許文献】
【０００７】
【特許文献１】特開昭６０−１１３４９８号公報
【特許文献２】特開平９−３２６５８２号公報
【発明の概要】
【発明が解決しようとする課題】
【０００８】
このような従来の発熱体収納箱冷却装置では、設置スペースが限られているため処理能力を向上させるには風量を増加する必要があるが、送風機スペースも限られているため送風機の回転数を上げることになりその結果騒音が発生するという課題があった。
【０００９】
本発明はこのような課題を解決するものであり、風路形状を変更することで騒音を低減することを目的としている。
【課題を解決するための手段】
【００１０】
そして、この目的を達成するために本発明は、発熱体収納箱の天面を仕切り板として、この仕切り板の上側に板状の凝縮器を設け、前記仕切り板の下側に板状の蒸発器を設け、前記凝縮器と前記蒸発器は、冷媒液管と蒸発管とで接続して冷媒サイクルを構成し、
凝縮器の前または後ろには室外送風機を設け、
凝縮器の前後に設けられた第１通風路内部には第１遮蔽板、第２遮蔽板を第２通風路内部には第３遮蔽板、第４遮蔽板をそれぞれ通風方向が蛇行するように通風方向と垂直方向に通風路内部に設けた発熱体収納箱冷却装置である。
【発明の効果】
【００１１】
本発明によれば、凝縮器の一次側二次側の通風路に遮音板を設けることで室外送風機から発生する騒音を防止することができる。
【図面の簡単な説明】
【００１２】
【図１】本発明の発熱体収納箱冷却装置側面図
【図２】同発熱体収納箱冷却装置消音材貼付説明図
【図３】同発熱体収納箱冷却装置通風路脱着部説明図
【図４】同発熱体収納箱冷却装置通遮蔽板脱着部説明図
【図５】同発熱体収納箱冷却装置ガイド板追加説明図
【図６】同発熱体収納箱冷却装置排水穴説明図
【図７】同発熱体収納箱冷却装置水切りフィルター説明図
【図８】従来の発熱体収納箱冷却装置の説明図（ａ）側断面図（ｂ）正面断面図
【発明を実施するための形態】
【００１３】
本発明の発熱体収納箱冷却装置は、発熱体収納箱の天面を仕切り板として、この仕切り板の上側に板状の凝縮器を設け、前記仕切り板の下側に板状の蒸発器を設け、前記凝縮器と前記蒸発器は、冷媒液管と蒸発管とで接続して冷媒サイクルを構成し、
凝縮器の前または後ろには室外送風機を設け、
凝縮器の前後に設けられた第１通風路内部には第１遮蔽板、第２遮蔽板を第２通風路内部には第３遮蔽板、第４遮蔽板をそれぞれ通風方向が蛇行するように通風方向と垂直方向に通風路内部に設けることで室外送風機から発生する騒音を低減させた発熱体収納箱冷却装置を得ることができる。
【００１４】
また、前記第１通風路および第２通風路内部壁面に消音材を貼り付けたものであり室外送風機から発生する騒音をさらに低減させる発熱体収納箱冷却装置を得ることができる。
【００１５】
また、前記第１通風路および第２通風路が脱着可能なものであり、送風機および通風路内のメンテナンスが容易となる発熱体収納箱冷却装置を得ることができる。
【００１６】
また、前記第１通風路に設けた第１遮蔽板、第２遮蔽板と第２通風路内部に設けた第３遮蔽板、第４遮蔽板が脱着可能なものであり、騒音低減の必要のない現場においての能力
向上および送風機消費電力低減となる発熱体収納箱冷却装置を得ることができる。
【００１７】
また、前記第１通風路および第２通風路の風路曲がり部の角部に角部を塞ぐように配置したガイド板を設けたものであり、通風路抵抗低減により、送風機の回転数低減が可能となる発熱体収納箱冷却装置を得ることができる。
【００１８】
また、前記第１通風路および第２通風路の前記仕切り板の上側に位置する底部に排水穴および排水経路を設けた、ものであり通風路内に水が溜まらない発熱体収納箱冷却装置を得ることができる。
【００１９】
また、前記第１通風路および第２通風路において、遮蔽板の端部を接続するように通風部に水きりフィルターを設けたものであり水の浸入を防止できる発熱体収納箱冷却装置を得ることができる。
【００２０】
以下、本発明の実施の形態について図面を参照しながら説明する。
【００２１】
（実施の形態１）
図１に本実施の形態１の発熱体収容箱冷却装置の側面図を示す。
【００２２】
図１に示すように、発熱体収容箱冷却装置は例えば携帯基地局のような内部に発熱を伴う電子部品等を備える密閉された発熱体収容箱の天面に設置され、室内送風機１５および室外送風機６により高温空気と低温空気が対向するように送風されている。
【００２３】
図１に示すように、発熱体収容箱冷却装置は高温空気が通風する機能動作部１４を収納している高温部分１１が下部に、低温空気が通風する冷却部収納室等の低温部分１２が上部になるように仕切り板１により仕切られた本体ケース１３内に配置される。蒸発器３は、高温部分１１に配置され、この蒸発器３は、通風方向に対して後傾（または前傾）して配置され、内部には冷媒（例えばＲ１３４ａ）が封入されて、高温空気から受熱し沸騰蒸発する。凝縮器２は、低温部分１２に配置され、この凝縮器２は、蒸発器３と連通し、蒸発器３と同方向に傾斜して配置し、沸騰蒸発した冷媒の蒸気が低温空気へ放熱を行い凝縮液化させるものである。液管４は、仕切り板１を貫通し蒸発器３と凝縮器２とを連通している。また、蒸気管５は、蒸発器３と凝縮器２に仕切り板１を貫通し接続されている。
【００２４】
また、通風方向からみて凝縮器２の上流側には第１通風路７を設け、下流側には第２通風路８が配置される。この第１通風路７内部には第１遮蔽板９、第２遮蔽板１０、第２通風路８内部には第３遮蔽板２３、第４遮蔽板２４を通風方向がＳ字となるように天面と底面側に設けており、室外送風機６は第２遮蔽板１０と凝縮器２の間または第４遮蔽板２４と凝縮器２の間に配置されている。
【００２５】
このような構成にすることにより、図１に示すように、室外送風機６で発生した騒音が第１遮蔽板９、第２遮蔽板１０および第３遮蔽板２３、第４遮蔽板２４に遮られることにより外部への騒音放出を防止する発熱体収納箱冷却装置を得ることができる。
【００２６】
（実施の形態２）
本発明の実施の形態２は、実施の形態１と同一部分については同一符号を付し、詳細な説明は省略する。
【００２７】
図２に本実施の形態２の発熱体収納箱冷却装置の側断面概略図を示す。
【００２８】
図２に示すように、第１通風路７および第２通風路８の風路内壁にグラスウール等の消
音材１６を貼り付けることで室外送風機６で発生した騒音が消音材１６に吸音されることにより外部への騒音放出を低減する発熱体収納箱冷却装置を得ることができる。
【００２９】
（実施の形態３）
本発明の実施の形態３は、実施の形態１と同一部分については同一符号を付し、詳細な説明は省略する。
【００３０】
図３に本実施の形態３の発熱体収納箱冷却装置の側断面概略図を示す。
【００３１】
図３に示すように、第１通風路７および第２通風路８がそれぞれユニット化されておりそれぞれが第１ネジ２７などの取り外し可能な締結方法で固定されており、第１通風路７が液管４と室外送風機６の間に設けられた第１分割ライン２５で分割され第２通風路８が蒸気管５と第４遮蔽板２４の間に設けられた第２分割ライン２６で分割される構成であることで、発熱体収納箱冷却装置本体を外すことなく室外送風機６および第１通風路７、第２通風路８のメンテナンスを容易とする発熱体収納箱冷却装置を得ることができる。
【００３２】
（実施の形態４）
本発明の実施の形態は、実施の形態１と同一部分については同一符号を付し、詳細な説明は省略する。
【００３３】
図４に本実施の形態４の発熱体収納箱冷却装置の側断面概略図を示す。
【００３４】
図４に示すように、第１通風路７内部に設けられた第１遮蔽板９、第２遮蔽板１０および第２通風路８内部に設けた第３遮蔽板２３、第４遮蔽板２４を第２ネジ２８など取り外し可能な締結方法で固定とすることで脱着可能な構成であり、騒音低減の必要のない現場において風量増加により能力向上させるか、能力現状維持で送風機消費電力低減を可能とする発熱体収納箱冷却装置を得ることができる。
【００３５】
（実施の形態５）
本発明の実施の形態は、実施の形態１と同一部分については同一符号を付し、詳細な説明は省略する。
【００３６】
図５に本実施の形態７の発熱体収納箱冷却装置の側断面概略図を示す。
【００３７】
図５に示すように第１通風路７および第２通風路８の風路曲がり部の角部に角部を塞ぐように配置したガイド板１７を設けたものであり、通風路抵抗低減により、送風機の回転数低減が可能となる発熱体収納箱冷却装置を得ることができる。
【００３８】
（実施の形態６）
本発明の実施の形態は、実施の形態１と同一部分については同一符号を付し、詳細な説明は省略する。
【００３９】
図６に本実施の形態６の発熱体収納箱冷却装置の側断面概略図を示す。
【００４０】
図６に示すように、第１通風路７および第２通風路８の前記仕切り板１の上側に位置する底部に排水穴１８および排水経路２２を設けたものであり通風路内に水が溜まらない発熱体収納箱冷却装置を得ることができる。
【００４１】
（実施の形態７）
本発明の実施の形態は、実施の形態１と同一部分については同一符号を付し、詳細な説
明は省略する。
【００４２】
図７に本実施の形態７の発熱体収納箱冷却装置の側断面概略図を示す。
【００４３】
図７に示すように、第１通風路７および第２通風路８において、第１遮蔽板９と第２遮蔽板１０および第３遮蔽板２３と第４遮蔽板２４の端部を接続するように通風部に水切りフィルター１９を設けたものであり水の浸入を防止できる発熱体収納箱冷却装置を得ることができる。なお、水切りフィルター１９を斜めに傾けて取り付けることで水切りフィルター１９への水溜りを低減することで水の浸入効果を向上させることができる。
【産業上の利用可能性】
【００４４】
本発明の発熱体収容箱冷却装置は、熱交換能力向上を目的とした風量の増加による騒音発生の防止をさせる発熱体収容箱冷却装置として有用である。
【符号の説明】
【００４５】
１    仕切り板
２    凝縮器
３    蒸発器
４    液管
５    蒸気管
６    室外送風機
７    第１通風路
８    第２通風路
９    第１遮蔽板
１０  第２遮蔽板
１１  高温部分
１２  低温部分
１３  本体ケース
１４  機能動作部
１５  室内送風機
１６  消音材
１７  ガイド板
１８  排水穴
１９  水切りフィルター
２２  排水経路
２３  第３遮蔽板
２４  第４遮蔽板
２５  第１分割ライン
２６  第２分割ライン
２７  第１ネジ
２８  第２ネジ
【図１】
2012230940.tif 000003
【図２】
2012230940.tif 000004
【図３】
2012230940.tif 000005
【図４】
2012230940.tif 000006
【図５】
2012230940.tif 000007
【図６】
2012230940.tif 000008
【図７】
2012230940.tif 000009
【図８】
2012230940.tif 000010